【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
負荷が定常状態にあるか、または遷移しているか否かを決定し、該負荷のシグネチャを同定するための方法であって、
該方法は、
少なくとも１つの回路における電力または電流測定値の時系列を分析することであって、少なくとも１つの負荷が該少なくとも１つの回路に連結される、ことと、
該負荷が定常状態にあるか、または遷移しているか否かを決定することと、
該定常状態または遷移の決定に基づいて、該負荷の１つ以上の定常状態期間および遷移期間を同定することと、
該１つ以上の定常状態期間のうちの一部分を選択して、該負荷の定常状態シグネチャを計算することと
を含む、方法。
【請求項２】
前記時系列の平均および分散を比較することをさらに含む、請求項１に記載の方法。
【請求項３】
前記時系列の平均および分散を比較することによって得られる値の絶対値を閾値と比較することをさらに含む、請求項１に記載の方法。
【請求項４】
前記絶対値が前記閾値よりも大きいときに、前記負荷は遷移していると決定することをさらに含む、請求項３に記載の方法。
【請求項５】
電気器具の状態を追跡するための方法であって、
該方法は、
電力シーケンスを定常状態電気信号に対して決定することと、
定常状態および遷移波形を該電力シーケンスに対して計算することと、
定常状態波形をクラスタ化することであって、各クラスタは、同じ一組の電気器具がオンおよび／またはオフのいずれかであることを表す、ことと、
遷移波形をクラスタ化することであって、各クラスタは、電気器具に対して同じ遷移、オンまたはオフを表す、ことと、
開始定常状態波形クラスタ、遷移波形クラスタ、終了定常状態遷移クラスタ（ＳＴＥＣ）の全ての一意のシーケンスを決定することと、
発生数を各ＳＴＥＣシーケンスに割り当てることと
を含む、方法。
【請求項６】
不一致のＳＴＥＣを排除することをさらに含む、請求項５に記載の方法。
【請求項７】
クロージャルールを決定することをさらに含み、該クロージャルールは、特定の定常状態に対して、同じ定常状態クラスタの中の次の定常状態への遷移シーケンスを決定することを含む、請求項５に記載の方法。
【請求項８】
重要でないクロージャルールを排除することをさらに含む、請求項５に記載の方法。
【請求項９】
前記クロージャルール内の相補的なオン／オフ遷移は、電気器具と関連付けられる、請求項５に記載の方法。
【請求項１０】
前記クロージャルール内の複合遷移は、電気器具のオン／オフ遷移の組み合わせと関連付けられる、請求項５に記載の方法。
【請求項１１】
１つ以上の電気器具を単一の事象と合致させることによって、電気器具の動作状態を分解するための方法であって、
該方法は、
監視された回路から電力遷移データを取得することであって、該電力遷移データは、オンまたはオフになる１つ以上の電気器具と関連付けられる、ことと、
該電力遷移データから少なくとも１つの電力シグネチャを決定することと、
該電力シグネチャを電力シグネチャのライブラリと比較することと、
該比較がライブラリ要素との合致を示す場合、該測定された電力シグネチャを該ライブラリ電力シグネチャと関連付けられた該電気器具と関連付けることと、
該測定された電力シグネチャがライブラリ要素に合致しない場合、該測定されたシグネチャを新しい未確認電気器具として該ライブラリに追加することと
を含む、方法。
【請求項１２】
前記ライブラリは、未確認電気器具シグネチャを含有し、さらに、前記測定されたシグネチャを該ライブラリの中の未確認電気器具シグネチャの組み合わせと比較することを含む、請求項１１に記載の方法。
【請求項１３】
前記ライブラリの中の未確認電気器具シグネチャを組み合わせることによって生成された複合シグネチャから、基本的電気器具シグネチャを抽出することをさらに含む、請求項１１に記載の方法。
【請求項１４】
電気器具同定方法であって、
該方法は、
新しい定常状態から始まるサイズ２の一組のクロージャルールを決定することと、
サイズ２の該一組のクロージャルールから定義される定常状態を決定することと、
定義された定常状態を一組の定義された定常状態に追加することと、
同一のクロージャルールをグループ化し、発生の頻度によって、一意的なクロージャルールを決定することと、
該決定された一意的なクロージャルールに基づいて、電気器具割当表を作成することと
を含む、方法。
【請求項１５】
前記一組の定義された定常状態は、最初、最小量の電力を使用する定常状態から構成される、請求項１４に記載の方法。
【請求項１６】
前記一組の定義された定常状態は、最初、全ての負荷に対応する定義された定常状態から構成され、該全ての負荷は、ゼロエネルギーを消費する監視された回路と関連付けられる、請求項１４に記載の方法。
【請求項１７】
前記一組の定義された定常状態に適用されるサイズ３のクロージャルールを決定することをさらに含む、請求項１４に記載の方法。
【請求項１８】
前記一組の定義された定常状態に適用されるサイズ４以上のクロージャルールを決定することをさらに含む、請求項１４に記載の方法。
【請求項１９】
複数の相関した動作状態を有する電気器具を同定することをさらに含む、請求項１４に記載の方法。
【請求項２０】
同一の遷移シグネチャを生成する複数の電気器具を同定することをさらに含む、請求項１４に記載の方法。
【請求項２１】
冗長の定常状態を生じさせる負荷を同定することをさらに含む、請求項１４に記載の方法。
【請求項２２】
個々の信号を同定するラベリングシステムのための方法であって、
該方法は、
非侵入型電気器具負荷監視（ＮＩＡＬＭ）非集計負荷隔離データの結果を提示することと、
ユーザが事象に関連付けられた該個々の信号をラベリングおよび同定することを可能にするインターフェースを提供することと
を含み、
それぞれの個々の信号に対して、該インターフェースは、該それぞれの個々の信号の電力利用の時系列を、該それぞれの個々の信号に関連付けられたその他の最近の事象の指標とともに表示する、方法。
【請求項２３】
前記個々の信号は、１つ以上の電気器具内にある、請求項２２に記載の方法。
【請求項２４】
前記方法は、住居環境におけるエネルギー消費を監視するために使用される、請求項２２に記載の方法。
【請求項２５】
前記方法は、迅速サービス業界等の商業的環境におけるエネルギーを監視するために使用される、請求項２２に記載の方法。
【請求項２６】
電気器具の健全性を追跡するための方法であって、
該方法は、
該電気器具の連続定常状態プロファイルを比較することにより、該電気器具の最近の遷移プロファイルを計算することと、
既知の期間にわたって該電気器具の最近の電力利用を計算することと、
該最近の電気器具の遷移プロファイルおよび電力利用を経時的に定期的に採取された電気器具の遷移プロファイルおよび電力利用のスナップショットと比較することと、
該比較における任意の異常の存在を決定することであって、該比較における異常の同定は、該電気器具について起こり得る問題を示す、ことと
を含む、方法。
【請求項２７】
潜在的な問題について個人に警告することをさらに含む、請求項２６に記載の方法。
【請求項２８】
メンテナンスサービス依頼電話を自動的に予定に入れることをさらに含む、請求項２６に記載の方法。
【手続補正２】
【補正対象書類名】明細書
【補正対象項目名】００２９
【補正方法】変更
【補正の内容】
【００２９】
本開示の先述および他の特徴は、添付図面を参照して進められる、いくつかの実施形態についての以下の詳細な説明からより明白となるであろう。
本発明は、例えば、以下を提供する。
（項目１）
負荷が定常状態にあるか、または遷移しているか否かを決定するための方法であって、
該方法は、
少なくとも１つの回路における電力または電流測定値の時系列を分析することであって、少なくとも１つの負荷が該少なくとも１つの回路に連結される、ことと、
該負荷が定常状態にあるか、または遷移しているか否かを決定することと
を含む、方法。
（項目２）
上記時系列の平均および分散を比較することをさらに含む、項目１に記載の方法。
（項目３）
上記時系列の平均および分散を比較することによって得られる値の絶対値を閾値と比較することをさらに含む、項目１に記載の方法。
（項目４）
上記絶対値が上記閾値よりも大きいときに、上記負荷は遷移していると決定することをさらに含む、項目３に記載の方法。
（項目５）
電気器具の状態を追跡するための方法であって、
該方法は、
電力シーケンスを定常状態電気信号に対して決定することと、
定常状態および遷移波形を該電力シーケンスに対して計算することと、
定常状態波形をクラスタ化することであって、各クラスタは、同じ一組の電気器具がオンおよび／またはオフのいずれかであることを表す、ことと、
遷移波形をクラスタ化することであって、各クラスタは、電気器具に対して同じ遷移、オンまたはオフを表す、ことと、
開始定常状態波形クラスタ、遷移波形クラスタ、終了定常状態遷移クラスタ（ＳＴＥＣ）の全ての一意のシーケンスを決定することと、
発生数を各ＳＴＥＣシーケンスに割り当てることと
を含む、方法。
（項目６）
不一致のＳＴＥＣを排除することをさらに含む、項目５に記載の方法。
（項目７）
クロージャルールを決定することをさらに含み、該クロージャルールは、特定の定常状態に対して、同じ定常状態クラスタの中の次の定常状態への遷移シーケンスを決定することを含む、項目５に記載の方法。
（項目８）
重要でないクロージャルールを排除することをさらに含む、項目５に記載の方法。
（項目９）
上記クロージャルール内の相補的なオン／オフ遷移は、電気器具と関連付けられる、項目５に記載の方法。
（項目１０）
上記クロージャルール内の複合遷移は、電気器具のオン／オフ遷移の組み合わせと関連付けられる、項目５に記載の方法。
（項目１１）
１つ以上の電気器具を単一の事象と合致させることによって、電気器具の動作状態を分解するための方法であって、
該方法は、
監視された回路から電力遷移データを取得することであって、該電力遷移データは、オンまたはオフになる１つ以上の電気器具と関連付けられる、ことと、
該電力遷移データから少なくとも１つの電力シグネチャを決定することと、
該電力シグネチャを電力シグネチャのライブラリと比較することと、
該比較がライブラリ要素との合致を示す場合、該測定された電力シグネチャを該ライブラリ電力シグネチャと関連付けられた該電気器具と関連付けることと、
該測定された電力シグネチャがライブラリ要素に合致しない場合、該測定されたシグネチャを新しい未確認電気器具として該ライブラリに追加することと
を含む、方法。
（項目１２）
上記ライブラリは、未確認電気器具シグネチャを含有し、さらに、上記測定されたシグネチャを該ライブラリの中の未確認電気器具シグネチャの組み合わせと比較することを含む、項目１１に記載の方法。
（項目１３）
上記ライブラリの中の未確認電気器具シグネチャを組み合わせることによって生成された複合シグネチャから、基本的電気器具シグネチャを抽出することをさらに含む、項目１１に記載の方法。
（項目１４）
電気器具同定方法であって、
該方法は、
新しい定常状態から始まるサイズ２の一組のクロージャルールを決定することと、
サイズ２の該一組のクロージャルールから定義される定常状態を決定することと、
定義された定常状態を一組の定義された定常状態に追加することと
を含む、方法。
（項目１５）
上記一組の定義された定常状態は、最初、最小量の電力を使用する定常状態から構成される、項目１４に記載の方法。
（項目１６）
上記一組の定義された定常状態は、最初、全ての負荷に対応する定義された定常状態から構成され、該全ての負荷は、ゼロエネルギーを消費する監視された回路と関連付けられる、項目１４に記載の方法。
（項目１７）
上記一組の定義された定常状態に適用されるサイズ３のクロージャルールを決定することをさらに含む、項目１４に記載の方法。
（項目１８）
上記一組の定義された定常状態に適用されるサイズ４以上のクロージャルールを決定することをさらに含む、項目１４に記載の方法。
（項目１９）
複数の相関した動作状態を有する電気器具を同定することをさらに含む、項目１４に記載の方法。
（項目２０）
同一の遷移シグネチャを生成する複数の電気器具を同定することをさらに含む、項目１４に記載の方法。
（項目２１）
冗長の定常状態を生じさせる負荷を同定することをさらに含む、項目１４に記載の方法。
（項目２２）
個々の信号を同定するラベリングシステムのための方法であって、
該方法は、
非侵入型電気器具負荷監視（ＮＩＡＬＭ）非集計負荷隔離データの結果を提示することと、
ユーザが該個々の信号をラベリングおよび同定することを可能にするインターフェースを提供することと
を含む、方法。
（項目２３）
上記個々の信号は、１つ以上の電気器具内にある、項目２２に記載の方法。
（項目２４）
上記方法は、住居環境におけるエネルギー消費を監視するために使用される、項目２２に記載の方法。
（項目２５）
上記方法は、迅速サービス業界等の商業的環境におけるエネルギーを監視するために使用される、項目２２に記載の方法。
（項目２６）
電気器具の健全性を追跡するための方法であって、
該方法は、
リアルタイムの電気器具遷移および電力利用を経時的に定期的に採取された電気器具遷移および電力利用のスナップショットと比較することと、
該比較における任意の異常の存在を決定することであって、該比較における異常の同定は、該電気器具について起こり得る問題を示す、ことと
を含む、方法。
（項目２７）
潜在的な問題について個人に警告することをさらに含む、項目２６に記載の方法。
（項目２８）
メンテナンスサービス依頼電話を自動的に予定に入れることをさらに含む、項目２６に記載の方法。